(57)【要約】      （修正有）【課題】ウェブを鋸胴によって切断して折胴と折込みローラーによって折丁にする際にメクレ、シワ、耳折れ（端折れ）、段折れ、ラップ曲がりなどが生じない折丁を作成することが可能な折装置を提供する。【解決手段】鋸胴１０と折胴２０によって切断された縦折りウェブＷｓが折胴２０に接触した状態で折ブレードによって一対の折込みローラー３０間に差し込まれて折丁になる折装置１において、折胴２０に接した状態にある切断された縦折りウェブＷｓであって鋸胴１０の切断位置から一対の折込みローラー３０間に差し込まれるまでの位置にある切断された縦折りウェブＷｓを折胴２０に押し付けるエアーを折胴２０に向かって聞く吹き付けるエアーブロー装置１００を備えている。【選択図】図３
2015151238.tif 000002
【特許請求の範囲】
【請求項１】
折胴と鋸胴に切断され前記折胴に接触した状態のウェブが、前記折胴より突出した折ブレードによって一対の折込みローラー間に差し込まれて折丁になる折装置において、
切断され前記折胴に接触した状態にある前記ウェブであって、前記鋸胴の切断位置から前記一対の折込みローラー間に差し込まれるまでの位置にある前記ウェブを、前記折胴に押し付けるエアーを前記折胴に向かって吹き付けるエアーブロー装置を備えたことを特徴とする折装置。
【請求項２】
前記エアーが前記ウェブに当たる位置は、前記エアーが少なくとも前記ウェブの縦折り開き端側であることを特徴とする請求項１に記載の折装置。
【発明の詳細な説明】
【技術分野】
【０００１】
本発明は、折機において、高速運転に適する折丁を作成する折装置に関する。
【背景技術】
【０００２】
巻取紙に印刷するための従来から知られる輪転機や近年使用し始められているデジタル印刷機においては、印刷部で印刷した一枚乃至複数枚のウェブを折装置で折り畳んで折丁の形で排紙することが行われている。この折り畳み方式には多様な種類があるが、この種の折装置の一例として、新聞用輪転機では、折ブレードを装備した折胴と、フォルディングローラーと呼ばれる折込みローラーとを組み合わせてウェブを折り畳む方式が一般的に多用されている。この折装置の概略構造について以下に説明する。
【０００３】
輪転機やデジタル印刷機で印刷されたウェブは、ドラッグローラーによって折装置に導かれ、三角形状のフォーマー及びその下部に設けられた一対のフォーミングローラーによってウェブの進行方向に対して平行に二つ折り（縦折り）され、縦折りウェブとなる。この縦折りウェブは、縦折り目側（袋側）と縦折り開き端側（ペラ側）から構成され、フォーミングローラーの下部に設けられたニッピングローラーに差し込まれ、折胴及び鋸胴の間へと送り込まれる。
【０００４】
鋸胴には、鋸台に支持された鋸刃が組み込まれており、折胴及び鋸胴の対向回転作動によって、折胴の外周面に設けられた鋸刃受との間で、縦折りウェブを進行方向に一定ピッチで切断する。
【０００５】
折胴には、鋸刃を受ける部材として、ゴム等の弾力性のある材質で形成された一対の鋸刃受と、縦折りウェブの切断位置の進行方向直上流の位置に突き刺して縦折りウェブを移送するための針と、鋸刃で切断された縦折りウェブを折胴の定まった回転位相位置で折るための折ブレードが設けられている。
【０００６】
鋸胴が縦折りウェブを切断する前に、針で切断位置の進行方向直上流の位置を突き刺し、切断された端部を進行方向の下流側とする縦折りウェブは、針で保持されたまま折胴の外周面に沿って移送され、次の鋸胴の切断作動によって、進行方向の上流側を一定の長さに切断され、切断された縦折りウェブとなる。そして、切断された縦折りウェブの略中央になる位置に、折胴の外周面から折ブレードが突出し、同時に切断された縦折りウェブの進行方向の下流側を保持していた針が折胴の外周面に没入する。この折ブレードは切断された縦折りウェブの中央相当位置を一対の折込みローラー間に差し込むように位相調整されている。
【０００７】
この切断された縦折りウェブは、前述したようにその中央相当位置を一対の折込みローラーの間に差し込まれ、四つ折り状態となった折丁となり、下流側へと送り出され、ファンを介して搬送ベルト上に所定のピッチでラップした状態に整列され、機外へと排紙される。そして、折装置とは別に設けられた搬送装置によって後工程へと運ばれる。
【０００８】
このような従来の折装置を用いてウェブを折り畳んで折丁にする際、中央相当位置を一対の折込みローラーの間に差し込まれ、下流側へと送り出されていく切断された縦折りウェブは、印刷速度が速くなる程、バタツキが起こりやすくなることが分かっていた。このバタツキによる波打ちなどの不安定な挙動が、一対の折込みローラー間を通過する直前の切断された縦折りウェブの上流側及び下流側の端部にメクレや折れなどを発生させ、所謂、メクレ、シワ、耳折れ（端折れ）、段折れ、ラップ曲がりなどの不具合を起こしていた。
【０００９】
そのため、このような不具合を防止するために一対の折込みローラー間の下方からエアーを吹き付けたり、折込みローラー近傍にサクションガイド等を設けて切断された縦折りウェブの上流側の端部を吸引したりする対策がとられていた（例えば特許文献１参照）。
【先行技術文献】
【特許文献】
【００１０】
【特許文献１】特許第３７０６６０２号公報
【発明の概要】
【発明が解決しようとする課題】
【００１１】
しかしながら、特許文献１に記載された折装置は、上述した不具合の発生を防いでいるが、折丁の厚さが変化した場合の対応及び保守の点で、次のような問題があった。
【００１２】
例えば折丁の一形態をなす新聞は、その発行対象に応じて用紙及びページ建てが異なっている。具体的には、日刊紙は約３０ページから４８ページ程度と枚数が嵩むが、スポット的に発行される号外の類は２ページから４ページ程度である。また、地域の生活情報誌の類は約１２ページ程度である。このように、新聞の種類によって、ページ建てが異なり、折丁全体としての厚さに違いが生じる。これに加えて同じページ数であっても使用する新聞用紙の１平方メートル当たりの重量（坪量）に応じて折丁全体としての厚さが異なってくる。
【００１３】
一方、折装置の稼働率を高めて生産効率を向上させることで折丁の作成コストの低減を図るために、１つの折装置によって上述した様々な厚さの折丁に対応する必要性が生じている。このような要求に応じるにあたっては一対の折込みローラー相互の間隔を調整すればよいが、例えば特許文献１に記載された折装置は、上述したように一対の折込みローラー間の下側から切断された縦折りウェブにエアーを吹き付けるエアーノズルが固定された構成となっている。そのため、折丁の厚さに応じて一対の折込みローラー相互の間隔を調整するごとにエアーの吹き付け位置も同時に正確に調整することが困難であった。
【００１４】
この調整を正確に行わないと、ウェブの印刷速度が速くなる程、折装置による折り畳み作動の際に切断された縦折りウェブに不安定な挙動が発生するのを防止できなくなり、切断された縦折りウェブのバタツキが依然として生じてしまい、これによって切断された縦折りウェブが一対の折込みローラー間を通過する直前の切断された縦折りウェブの上流側及び下流側の端部にメクレや折れなどを発生させ、所謂、メクレ、シワ、耳折れ（端折れ）、段折れ、ラップ曲がりなどの不具合を起こす。
【００１５】
特に、特許文献１の図１に示す構成によると、エアーノズルが切断された縦折りウェブに接しているため、これをかなり正確に位置決めしなければ、厚さを変更した後に高速で送り出される切断された縦折りウェブにエアーノズルが強く接してしまい、折丁に傷がついたり、印刷汚れ等が生じたりしてしまう虞がある。
【００１６】
更には、特許文献１の図１１においては、サクションガイドを備えてこの吸引力を介して切断された縦折りウェブの上流側をサクションガイドに吸引させ、これにより切断された縦折りウェブの上流側のバタツキを防止しようとしている。しかしながら、このような多数の小径の吸引孔を有したサクションガイド上に沿って縦折りウェブを走行させると、多量の縦折りウェブを切断することによって生じる折装置内の紙粉がサクションガイドの吸引力によって吸引孔に詰まってしまったり、サクションガイドに切断された縦折りウェブを直接接触させながら走行させるため折丁に擦り傷がついたり、印刷直後のウェブ上でインキが乾かない状態でサクションガイドに接触しながら走行することで、印刷面の印刷汚れが生じる虞がある。
【００１７】
また、特許文献１の図１３には、上記サクションガイドの代わりにベルヌーイ噴流式エアボックスを利用して切断された縦折りウェブの上流側を吸引しながら走行させるガイドが開示されているが、このようなガイドであっても上記サクションガイドと同様の問題が生じる。
【００１８】
以上のような好ましくない状態となったことに折装置の操作者がしばらく気付かないと、ウェブが高速で送り出されていることに起因して極めて多量の折丁の不具合品が発生してしまい、合格品としての折丁を再び多数作成しなければならず、その後の製品（折丁）の生産スケジュールに悪影響を与えてしまう。
【００１９】
本発明の目的は、縦折りウェブを折胴及び鋸胴の対向回転作動によって切断して、切断された縦折りウェブを一対の折込みローラー間に差し込むことによって折丁にする際にメクレ、シワ、耳折れ（端折れ）、段折れ、ラップ曲がりなどが生じない折丁を作成することが可能な折装置を提供することにある。
【課題を解決するための手段】
【００２０】
上述の課題を解決するために本発明の請求項１に係る折装置は、
折胴と鋸胴に切断され前記折胴に接触した状態のウェブが、前記折胴より突出した折ブレードによって一対の折込みローラー間に差し込まれて折丁になる折装置において、
切断され前記折胴に接触した状態にある前記ウェブであって、前記鋸胴の切断位置から前記一対の折込みローラー間に差し込まれるまでの位置にある前記ウェブを、前記折胴に押し付けるエアーを前記折胴に向かって吹き付けるエアーブロー装置を備えたことを特徴としている。
【００２１】
請求項１に係る折装置がこのような構成を有することで、従来技術のように折丁の厚さの変化に応じて一対の折込みローラー間の間隔を変更する際に、これに伴って各折込みローラーの周面と折丁との対向面との間に吹き込ませるエアーの吹き出し位置の調整を行わなくて済む。即ち、本発明のようにエアーを折胴の外周面に向かって吹き付けることで、折胴と一対の折込みローラーによって折丁とさせる前の過程にある折胴に接した切断された縦折りウェブに対して、その縦折りウェブの厚さによらず常に一定のエアーを吹き付けることになる。その結果、縦折りウェブの切断後から折丁として折られるまでに折胴に接触した切断された縦折りウェブを折胴の外周面にしっかりと押し付けることができる。これによって、折胴と一対の折込みローラーによって折丁にされる初期段階から切断された縦折りウェブのバタツキ等を防止し、メクレやシワ、耳折れ(端折れ)、段折れ、ラップ曲がり等が生じた折丁が作成されるのを回避することができる。
【００２２】
また、本発明の請求項２に係る折装置は、請求項１に係る折装置において、
前記エアーが前記ウェブに当たる位置は、前記エアーが少なくとも前記ウェブの縦折り開き端側であることを特徴としている。
【００２３】
請求項２に係る折装置において、エアーをこのような位置に当てることで、縦折りウェブが切断された位置から折胴の外周面に接触した状態を経て、切断された縦折りウェブが折ブレードによって一対の折込みローラー間に差し込まれていく過程において、切断された縦折りウェブの縦折り開き端側のバタツキの発生を防止できる。つまり不具合品としての折丁を構成するメクレやシワ、耳折れ(端折れ)、段折れ、ラップ曲がり等の諸原因となる縦折りウェブのバタツキの発生を初期段階で効果的に抑えることができる。これによって、エアーブロー装置の構造を簡略化しつつ、本発明の十分な作用を発揮することができるようになる。
【発明の効果】
【００２４】
本発明によると、縦折りウェブを折胴及び鋸胴の対向回転作動によって切断して、切断された縦折りウェブを一対の折込みローラー間に差し込むことによって折丁にする際にメクレ、シワ、耳折れ（端折れ）、段折れ、ラップ曲がりなどが生じない折丁を作成することが可能な折装置を提供することができる。
【図面の簡単な説明】
【００２５】
【図１】本発明及び従来技術の折装置において共通する部分の概略構造を示す斜視図である。
【図２】本発明及び従来技術の折胴周辺において共通する部分の概略構造を示す断面図である。
【図３】本発明の第１の実施形態をなす折装置及びこれに備わるエアーブロー装置の側面図である。
【図４】図３に示したエアーブロー装置の平面図である。
【図５】新聞折丁の第１の不具合状態をなす天側メクレの一例を示す図（図５（ａ））、新聞折丁の第２の不具合状態をなす天側シワの一例を示す図（図５（ｂ））、新聞折丁の第３の不具合状態をなす天側耳折れ（端折れ）の一例を示す図（図５（ｃ））、新聞折丁の第４の不具合状態をなす天側段折れの一例を示す図（図５（ｄ））、新聞折丁の第５の不具合状態をなす終面ジワの一例を示す図（図５（ｅ））、新聞折丁の第６の不具合状態をなす地側メクレの一例を示す図（図５（ｆ））、新聞折丁の第７の不具合状態をなす地側シワの一例を示す図（図５（ｇ））、新聞折丁の第８の不具合状態をなす地側段折れの一例を示す図（図５（ｈ））、新聞折丁の第９の不具合状態をなすラップ曲がりの一例を示す図（図５（ｉ））、及び新聞折丁の理想の状態を示す図（図５（ｊ））である。
【図６】本発明の第２の実施形態としての折装置及びこれに備わるエアーブロー装置の側面図である。
【図７】図６に示したエアーブロー装置の平面図である。
【図８】本発明の第３の実施形態としての折装置及びこれに備わるエアーブロー装置の側面図である。
【図９】図８に示したエアーブロー装置の平面図である。
【図１０】第１及び第２の実施形態におけるエアーブロー装置に適用可能なエアーパイプの様々な形態のうち一部を紹介する説明図である。
【発明を実施するための形態】
【００２６】
以下、本発明を実施するための幾つかの好適な実施形態について図面に基づいて詳細に説明する。なお、最初に各実施形態の前提となる折装置の一般的な構造について説明する。図１は、本発明及び従来技術の折装置において共通する部分の概略構造を示す斜視図である。また、図２は、本発明及び従来技術の折胴周辺において共通する部分の概略構造を示す断面図である。
【００２７】
図１及び図２に示すように、輪転機やデジタル印刷機（両者ここでは図示せず）で印刷されたウェブＷｏは、ドラッグローラー４０によって折装置１に導かれ、三角形状のフォーマー５０及びその下部に設けられた一対のフォーミングローラー６０によってウェブＷｏの進行方向に対して平行に二つ折り（縦折り）され、縦折りウェブＷ（以下、適宜単に「ウェブＷ」とする）となる。この縦折りウェブＷは、フォーミングローラー６０の下部に設けられた一対のニッピングローラー７０間に差し込まれ、鋸胴１０及び折胴２０の間へと送り込まれる。
【００２８】
鋸胴１０には、鋸台１１に支持された鋸刃１２が組み込まれており、鋸胴１０及び折胴２０の対向回転作動（図２中矢印参照）によって、折胴２０の外周面に設けられた鋸刃受２２との間で、縦折りウェブＷを進行方向に一定ピッチで切断する。
【００２９】
折胴２０には、鋸刃１２を受ける部材として、ゴム等の弾力性のある材質で形成された一対の鋸刃受２２と、縦折りウェブＷの切断位置の進行方向直上流の位置に突き刺して縦折りウェブＷを移送するための針２３と、鋸刃１２で切断された縦折りウェブＷを折胴２０の定まった回転位相位置で折るための折ブレード２４が設けられている。
【００３０】
鋸刃１２が縦折りウェブＷを切断する前に、針２３で切断位置の進行方向直上流の位置を突き刺し、切断された端部を進行方向の下流側とする縦折りウェブＷは、針２３で保持されたまま折胴２０の外周面に沿って移送され、次の鋸刃１２の切断作動によって、進行方向の上流側を一定の長さに切断され、切断された縦折りウェブとなる。（以下、この一定ピッチで切断された各縦折りウェブを「切断された縦折りウェブＷｓ」とする。）そして、切断された縦折りウェブＷｓの略中央になる位置に、折胴２０の外周面から折ブレード２４が突出し、同時に切断された縦折りウェブＷｓの進行方向の下流側を保持していた針２３が折胴２０の外周面に没入する。この折ブレード２４は切断された縦折りウェブＷｓの中央相当位置を一対の折込みローラー３０間に差し込むように位相調整されている。
【００３１】
この切断された縦折りウェブＷｓは、前述したようにその中央相当位置を一対の折込みローラー３０（３１，３２）の間に差し込まれ、本実施形態では四つ折り状態となった折丁Ｆとなり、下流側へと送り出され、ファン８０を介して、図示していない搬送ベルト上に所定のピッチでラップした状態で整列され、機外へと排紙される。そして、折装置１とは別に設けられた図示しない搬送装置により、後工程へと運ばれる。
【００３２】
なお、上述の構造において、切断された縦折りウェブＷｓの上流側後端が、後続の縦折りウェブＷの下流側先端に追突されないように、一対の折込みローラー３０（３１，３２）の外周速度は折胴２０の外周速度よりも、通常１０％程度速めになっている。
【００３３】
続いて、第１の実施形態に係る折装置１における従来技術とは異なる構造について説明する。この第１の実施形態に係る折装置１は、従来とは全く異なる位置に配置されたエアーブロー装置１００を備えている。図３は、本発明の第１の実施形態をなす折装置とこれに備わるエアーブロー装置の側面図である。また、図４は、図３に示したエアーブロー装置の平面図である。なお、図３において鋸胴と折胴の詳細構造は図示省略している。
【００３４】
このエアーブロー装置１００は、エアー供給部（図示せず）及びエアー圧を修正するレギュレーター１５０を介してエアー供給部に接続され一部に水平延在部１１１を有するエアーパイプ１１０とからなり、水平延在部１１１は、鋸胴１０及び折胴２０の対向部（両者の間隔が最も狭くなっている部分）の下方近傍に位置している。エアーパイプ１１０の水平延在部１１１は、その延在方向が長手方向全体に亘って折胴２０の折胴中心軸線２０ｃ（図３参照）と平行となるように折込みローラー３１の一方の端部３１ａ（図４参照）から他方の端部３１ｂに亘って延在した状態で配置されている。そして、このエアーパイプ１１０には、折込みローラー３１の一方の端部３１ａ側から水平延在部１１１の延在方向一部に亘って多数の小径のエアー噴出孔１１１ａが設けられている。エアーパイプ１１０の水平延在部１１１は、支持ブラケット１３１によってペーパーガイド用ブラケット１３０に固定されている。
【００３５】
なお、折込みローラー３１，３２の一方の端部３１ａ,３２ａには切断された縦折りウェブＷｓの縦折り開き端側（ペラ側）Ｗｓｏが位置すると共に、他方の端部３１ｂ,３２ｂには切断された縦折りウェブＷｓの縦折り目側（袋側）Ｗｓｃが位置するようになっている。
【００３６】
エアーパイプ１１０の水平延在部１１１に備わったエアー噴出孔１１１ａの形成位置は、エアー噴出孔１１１ａから吹き出されたエアーが折胴２０に接触している切断された縦折りウェブＷｓの上流側後端の主にペラ側に吹き付けられる位置である。また、エアー噴出孔１１１ａは、噴出したエアーが折胴２０の外周面に向かって吹き出されるように配置されている（図３の二点鎖線で示す矢印参照）。これによって、このエアー噴出孔１１１ａからエアーが折胴２０の外周面に向かって吹き出され、鋸胴１０によって切断された縦折りウェブＷｓであって折胴２０に接した状態にある切断された縦折りウェブＷｓの特にペラ側Ｗｓｏにエアーが吹き付けられるようになっている。
【００３７】
その結果、鋸胴１０の切断位置から一対の折込みローラー３０間に差し込まれるまでの位置にある切断された縦折りウェブＷｓの内、袋側Ｗｓｃに比べて腰が弱く不具合が発生しやすいペラ側Ｗｓｏを折胴２０の外周面にしっかりと押し付けることができる。
【００３８】
レギュレーター１５０は、エアー噴出孔１１１ａから吹き出されるエアーの一般的な圧力調整を行うためのものであるが、本実施形態においては吹き出すエアーの量を大まかに設定するのに使用するのみで、折丁Ｆの厚さに応じて厳密に調整する必要は無い。
【００３９】
なお、エアー噴出孔１１１ａからは、折装置１の作動中、エアーが常時吹き出されるようになっている。
【００４０】
続いて、第１の実施形態に係る折装置１の作用について説明する。この作用を説明する前に上述の解決すべき課題の欄で述べた折丁Ｆの様々な不具合品について具体的に説明する。図５は、これらの不具合品を分かり易く説明した説明図である。
【００４１】
図５（ａ）は、新聞折丁の第１の不具合状態をなす天側メクレの一例を示している。また、図５（ｂ）は、新聞折丁の第２の不具合状態をなす天側シワの一例を示している。また、図５（ｃ）は、新聞折丁の第３の不具合状態をなす天側耳折れ（端折れ）の一例を示している。また、図５（ｄ）は、新聞折丁の第４の不具合状態をなす天側段折れの一例を示している。また、図５（ｅ）は、新聞折丁の第５の不具合状態をなす終面ジワの一例を示している。また、図５（ｆ）は、新聞折丁の第６の不具合状態をなす地側メクレの一例を示している。また、図５（ｇ）は、新聞折丁の第７の不具合状態をなす地側シワの一例を示している。また、図５（ｈ）は、新聞折丁の第８の不具合状態をなす地側段折れの一例を示している。また、図５（ｉ）は、新聞折丁の第９の不具合状態をなすラップ曲がりの一例を示している。また、図５（ｊ）は、新聞折丁の理想の状態を示している。
【００４２】
このような折丁Ｆの不具合の発生を防止するために、鋸胴１０によって切断された縦折りウェブＷｓであって、折胴２０の外周面に接触した切断された縦折りウェブＷｓが折胴２０の折ブレード２４によって折胴外周面から徐々に離間され一対の折込みローラー３０（３１，３２）間に差し込まれていく過程において、切断された縦折りウェブＷｓの送り動作を常に一定の状態に保つことが、切断された縦折りウェブＷｓのバタツキを防止する観点から最も重要であることを、本出願の発明者は発見した。
【００４３】
つまり、従来技術で説明したような折込みローラーの下方からエアーを吹き付けたのでは、折胴２０から離間した直後に既にバタツキが生じた状態で送り出される切断された縦折りウェブＷｓのそのバタツキを再度収束させることが必要になるが、このような一旦発生したバタツキを再度収束させるのは実際上かなり難しいと考えられる。
【００４４】
特に上述の実施形態のように折丁Ｆが新聞の形態をなす場合、ウェブＷは、輪転機から折装置１に約１０ｍ／ｓｅｃの高速で送り出される。このようなウェブＷの高速の送り動作の過程において、切断された縦折りウェブＷｓが折胴２０から離間する際に僅かでもバタついたりすると、このバタツキをその直後に極めて短時間で押さえることは極めて難しくなり、上述したような折丁Ｆの様々な不具合品を発生させてしまう。
【００４５】
一方、本実施形態では、上述したような位置にエアーブロー装置１００が備わり、エアーを折胴２０の外周面に向かって吹き出させているので、高速で送り出される切断された縦折りウェブＷｓが折胴２０から僅かに離間し始める際においても、安定させた状態を維持しながら切断された縦折りウェブＷｓを折胴２０から連続的に離間させることができ、その時点での切断された縦折りウェブＷｓの特にペラ側Ｗｓｏのバタツキが生じることがなくなる。即ち、上述した様々な不具合の諸原因となる切断された縦折りウェブＷｓのバタツキの発生を未然に防ぐことで、上述した折丁Ｆの様々な不具合が発生しないようになっている。
【００４６】
また、折丁Ｆの厚さの違い（折丁Ｆに折られる前の縦折りウェブＷの枚数に起因する折丁Ｆの厚さの違いや縦折りウェブＷの枚数が同じであっても縦折りウェブ１枚当たりの坪量が異なることによる折丁Ｆの厚さの違い）に応じて一対の折込みローラーの間隔を変更する場合にも従来技術に比べて本実施形態の方が明らかに優位である。
【００４７】
その理由は、従来技術に関する折装置によると、それぞれの折込みローラーの周面とこれに対向する折丁Ｆの左右の表面との間に形成される隙間の位置の変化に応じてこの隙間にエアーを吹き込ませるためのエアーパイプのエアー噴出孔にあたる噴射ノズルの位置も微妙に調整しなければならない。このような調整にあたって、例えばリニアガイドとボールスプラインとの組み合わせによるノズル移動機構を採用していると、これらの機械的構成部品に必ず必要とされる遊び（ガタ）の影響を受けてノズルが移動後に完全に固定されずにこの機械的ガタの影響を受けてしまう。
【００４８】
このような機械的ガタに起因して、エアーパイプにエアーを供給し続けると、一部に曲がり部を有するエアーパイプ内のエアーに脈動が生じ、この機械的ガタと相伴ってエアーパイプのノズル部が振動してしまう虞もある。そのような現象が生じると、エアーパイプのエアー噴出孔にあたる噴射ノズルが振動してしまう。これに伴い、折込みローラーの下方から吹き出されるエアーの向きも微妙に変化してしまう。エアー噴出孔は折込みローラーの下方に位置し、折込みローラーの上方から折ブレードを介して差し込まれてくる切断された縦折りウェブＷｓまでの距離がかなりあるため、このようなエアーの噴出方向の乱れによって切断された縦折りウェブＷｓのバタツキをうまく抑えられなくなる虞がある。その結果、上述したような様々な不具合が生じた折丁Ｆが作成されてしまうことになる。
【００４９】
一方、本実施形態に係る折装置１のエアーブロー装置１００は、支持ブラケット１３１を介してペーパーガイド用ブラケット１３０にしっかりと固定され、エアーブロー装置１００から吹き出されるエアーは折胴２０の外周面に向かって常に吹き付けられるようになっているので、折丁Ｆの厚さの変化に応じて各折込みローラー３１，３２の間隔を変えた場合であっても、上述のような不具合を生じさせることがない。
【００５０】
また、従来技術の例で挙げたエアー供給装置のような移動機構によると、折丁Ｆの厚さが変更されるごとにエアー供給装置の位置決め調整を行わなければならない。そのため、このような調整作業に熟練していない作業者が調整作業を行うと、切断された縦折りウェブＷｓのバタツキの発生をうまく抑えることができず、不具合品の折丁Ｆを大量に発生させてしまう虞がある。また、輪転機の稼働効率を高めるために単一の輪転機で様々な厚さの折丁Ｆを無駄のない生産スケジュールで作成しようとする場合、エアー供給装置の位置決め調整作業を迅速に行わないと、折丁Ｆを予め決められた時間内で作成できなくなる。このような事態は、その後に配送すべき時間が厳密に決められている新聞などの遅配等、重大な問題を招く虞がある。
【００５１】
しかしながら、本実施形態による折装置１によると、このようなエアーブロー装置の位置決め調整作業を必要としないので、上述したような問題が生じることがない。また、エアーブロー装置１００のエアーパイプ１１０が折装置１に常時固定され、従来技術の例で挙げたような駆動機構を有さないので、定期的な点検等を必要とせず、メンテナンスフリーとなっている。
【００５２】
続いて、本発明の第２の実施形態に係る折装置について説明する。図６は、本発明の第２の実施形態としての折装置に備わるエアーブロー装置の側面図である。また、図７は、図６に示したエアーブロー装置の平面図である。なお、第１の実施形態に係る折装置と同等の構成については、対応する符号を付して詳細な説明を省略する。
【００５３】
第２の実施形態に係る折装置２は、第１の実施形態に係る折装置１と異なり、第１の実施形態の折装置１に備わったエアーパイプ１１０と同等の第１のエアーパイプ２１０の水平延在部２１１に平行して更なるエアーパイプ２２０の水平延在部２２１を備えている。第１の実施形態と同等の構成を有する第１のエアーパイプ（図６中左側のエアーパイプ）２１０の水平延在部２１１は、第１の実施形態と同等の第１の支持ブラケット２３１によってペーパーガイド用ブラケット１３０に固定されている。また、第１のエアーパイプ２１０の水平延在部２１１には第１の実施形態と同等の位置にエアー噴出孔２１１ａが形成されている。
【００５４】
一方、第２のエアーパイプ２２０の水平延在部２２１は、第１のエアーパイプ２１０の水平延在部２１１と平行しかつこれよりも高さ方向で見て若干低くかつ折込みローラー３１の近傍に延在するように配置されている。第２のエアーパイプ２２０の水平延在部２２１も折込みローラー３１の両端近傍において第２の支持ブラケット２３２によってペーパーガイド用ブラケット１３０に固定されている。そして、第２のエアーパイプ２２０の水平延在部２２１には、図７及び図１０（ｂ）に示すように、対応する折込みローラー３１の一方の端部３１ａから他方の端部３１ｂに亘ってエアー噴出孔２２１ａが所定の間隔隔てて多数形成されている。なお、水平延在部２２１のエアー噴出孔２２１ａは、水平延在部２１１のエアー噴出孔２１１ａと同様に、この噴出孔２２１ａから吹き出されるエアーが折胴２０の外周面に向かうように形成されている。
【００５５】
このような構成によって、第１の実施形態と同等もしくはそれ以上の作用を発揮することが可能である。即ち、以上の構成に基づき、第１のエアーパイプ２１０の水平延在部２１１のエアー噴出孔２１１ａから吹き出したエアーは、鋸胴１０によって切断され折胴２０の外周面に接触した状態で折胴２０から折ブレード２４によって一対の折込みローラー３０間に差し込まれていく切断された縦折りウェブＷｓのペラ側Ｗｓｏに主に吹き付けられる。そして、この部分を折胴２０の外周面に押し付けることで、このペラ側Ｗｓｏのバタツキの発生を防止する。また、第２のエアーパイプ２２０の水平延在部２２１のエアー噴出孔２２１ａから吹き出したエアーは、上述した切断された縦折りウェブＷｓのペラ側Ｗｓｏから袋側Ｗｓｃの全体に亘って吹き付けられ、切断された縦折りウェブＷｓの幅方向全体のバタツキの発生を防止し、折丁Ｆのラップ曲がり等の発生を防止する。
【００５６】
なお、作成する折丁Ｆの厚さに応じて第１のエアーパイプ２１０のみを使用してエアーを吹き出させたり、第1及び第２のエアーパイプ２１０，２２０の双方を使用してエアーを吹き出させたりすることも可能である。
【００５７】
続いて、本発明の第３の実施形態に係る折装置３について説明する。図８は、第３の実施形態としての折装置３に備わるエアーブロー装置の側面図である。また、図９は、図８に示したエアーブロー装置の平面図である。以下、第１の実施形態に係る折装置１と同等の構成については、対応する符号を付して詳細な説明を省略する。なお、第３の実施形態に係る折装置３は、折胴２０と鋸胴１０の中心軸線の高さが互いに異なっているが、これら折胴２０と鋸胴１０が第１及び第２の実施形態のように平行であっても本実施形態に適用可能である。
【００５８】
第３の実施形態に係る折装置３のエアーブロー装置３００は、第１及び第２の実施形態に係るエアーブロー装置１００，２００とは異なり、折込みローラー３１の一方の端部３１ａから他方の端部３１ｂ側に向かってそれ自体小径のエアー噴出孔を有さないエアーパイプ３１０の水平延在部３１１が折胴２０の折胴中心軸線２０ｃと平行に延在している。そして、水平延在部３１１には、折込みローラー３１の一方の端部３１ａから一定距離隔てた位置にペラ側エアーノズル３１２が突出して備わると共に、水平延在部３１１の先端近傍が折込みローラー３１の他端３１ｂ近傍において折曲して開放され、この部分において袋側エアーノズル３１３を構成している。エアーパイプ３１０の水平延在部３１１は、第１及び第２の実施形態と同等に支持ブラケット３３１によってペーパーガイド用ブラケット１３０に固定されている。
【００５９】
ペラ側エアーノズル３１２は、このノズルから吹き出したエアーが上述の第２の実施形態と同様に折胴２０の外周面に向くように配置され、切断された縦折りウェブＷｓのペラ側Ｗｓｏを折胴２０にしっかりと押し付けるようになっている。また、袋側エアーノズル３１３は、ペラ側エアーノズル３１２と同様に配置され、このエアーノズル３１３から吹き出したエアーが切断された縦折りウェブＷｓの袋側Ｗｓｃを折胴２０の外周面に押し付けるようになっている。
【００６０】
上述した第３の実施形態に係る折装置３によっても、鋸胴１０によって切断され折胴２０の折ブレード２４を介して一対の折込みローラー３０間に差し込まれるに至るまでの過程で、切断された縦折りウェブＷｓのペラ側Ｗｓｏと袋側Ｗｓｃにエアーを常に吹き付けることができるので、切断された縦折りウェブＷｓが折胴２０の外周面から離れる際の挙動を安定化させることができる。これによって、ペラ側Ｗｓｏのバタツキのみならず袋側Ｗｓｃの送り出しについても安定した状態を保つことができ、本発明の作用を十分に発揮することができる。
【００６１】
なお、上述した実施形態に係る折装置１，２，３のエアーブロー装置１００，２００，３００は、上記説明から明らかなように、エアー噴出孔に関する１１１ａ，２１１ａ，２２１ａやペラ側エアーノズル３１２、袋側エアーノズル３１３に関する特別な移動機構等を有さず、折装置のペーパーガイド用ブラケット１３０に簡単に固定できる単純な構成を有しているので、このような装置を有さない既存の折装置にも低コストで簡単に後付けすることが可能となる。その結果、折装置の稼働スケジュールに支障をきたすことなくエアーブロー装置１００，２００，３００を取り付けることができると共に、このエアーブロー装置１００，２００，３００が取り付けられた折装置１，２，３によって作成される折丁の品質を格段に高めることができる。
【００６２】
以上説明したように、本発明によると、折胴から一対の折込みローラー間に差し込まれるまでの位置にある切断された縦折りウェブの、少なくともペラ側（縦折りウェブの縦折り開き端側）か、もしくは幅方向全体にエアーを吹き付け、エアーの力を利用して切断された縦折りウェブのバタツキや波打ちを抑制させるようにしたエアーブロー装置を折胴下に設置している。
【００６３】
さらに、折胴下エアーブロー装置は上述したように、ペラ側（縦折りウェブの縦折り開き端側）のみのエアー吹き付け乃至幅方向全体へのエアー吹き付けや、ペラ側（縦折りウェブの縦折り開き端側）及び袋側（縦折りウェブの縦折り目側）に個別のエアーブローを設ける方法や、幅方向全体をエアー吹き付け可能なエアーブローのエアーパイプを１本乃至２本設けるなど、各折装置の型に適したバージョンを設け、適宜、最適なものを配置し、エアー圧はレギュレーターにて、適宜の圧で使用する。
【００６４】
これによって、上述したように従来技術によって生じる虞のあった折丁の不具合の発生を確実に防止できる。即ち、従来技術では一対の折込みローラー間の隙間調整や、折込みローラー上のペーパーガイドなどで切断された縦折りウェブのバタツキに対応していたが、各々の部品同士の空間及び隙間があり、該空間での切断された縦折りウェブの動きを規制することが困難であり、折丁の不具合の解消には至らなかったが、本発明によるとこれらの問題をすべて解決することができる。
【００６５】
なお、上述の第１の実施形態に係るエアー噴出孔１１１ａは、一本のエアーパイプ１１０に対して折込みローラー３１の一方の端部３１ａ（折胴２０及び一対の折込みローラー３０間に差し込まれていく切断された縦折りウェブＷｓのペラ側Ｗｓｏ）から折込みローラー３１の長手方向の他方の端部３１ｂに向かって中央部付近まで等間隔で形成されているが、この代わりに図１０の（ｂ）に示すように、ペラ側Ｗｓｏ端部から袋側Ｗｓｃ端部まで全体的に形成されていても良い。この場合、図１０（ｂ）では、エアー噴出孔２２１ａがペーパーガイドをよけるため、不連続に形成された形態をとっているが、これらの噴出孔を完全に連続した一定の間隔で形成しても良い。
【００６６】
また、第２の実施形態では、第１のエアーパイプ２１０のエアー噴出孔２１１ａ（図７左側の水平延在部２１１のエアー噴出孔２１１ａ）が図１０（ａ）に示す形態をなし、第２のエアーパイプ２２０のエアー噴出孔２２１ａ（図７右側の水平延在部２２１のエアー噴出孔２２１ａ）が図１０（ｂ）に示す形態をなしているが、少なくとも切断された縦折りウェブＷｓのペラ側Ｗｓｏにエアーが吹き付けられるようになっていれば良く、必ずしもこの組み合わせに限定される必要はない。即ち、例えば２本のエアーパイプのそれぞれに図１０（ａ）に示すエアーパイプを用いても良く、または２本のエアーパイプのそれぞれに図１０（ｂ）に示すエアーパイプを用いても良く、もしくは図７に示すエアーパイプの配列を左右逆にしても良い。
【００６７】
また、上述の第１及び第２の実施形態においては、鋸胴１０と折胴２０が平行タイプをなしていたが、これに限らず第３の実施形態のように鋸胴１０と折胴２０の中心軸線の高さが互いに異なっていても構わない。
【００６８】
また、上述の第１及び第２の実施形態に係るエアーパイプ１１０，２１０，２２０のエアー噴出孔１１１ａ，２１１ａ，２２１ａの数、直径及び形成位置は、本発明の作用を発揮し得る範囲内において適宜変更可能であることは言うまでもない。同様に、第３の実施形態に係るエアーパイプ３１０のペラ側及び袋側エアーノズル３１２，３１３の直径及び形成位置についても本発明の作用を発揮し得る範囲内において適宜寸法や形状を変更可能である。
【００６９】
また、第３の実施形態においてエアーノズル３１２，３１３がそれぞれ折胴２０の回転中心軸線に対して垂直方向に吹き出す代わりに、縦折ウェブＷｓのペラ側Ｗｓｏと袋側Ｗｓｃの各端部側に向かって折銅２０の回転中心軸線に対してそれぞれ等角度をなして互いに離間する方向に、斜めに吹き出しても良い。
【００７０】
また、上述の各実施形態においては、折装置の上流側にウェブ印刷用の輪転機を備えた状態を前提として説明したが、本発明に係る折装置は、この輪転機の代わりにデジタル印刷機を備えた場合であっても適用可能であることは言うまでもない。
【００７１】
また、上述の実施形態では、ウェブ（折丁）に新聞紙を用いた例を説明したが、本発明の作用を発揮できれば他の印刷物等についても本発明を適用可能であることは言うまでもない。
【符号の説明】
【００７２】
１，２，３    折装置
１０    鋸胴
１１    鋸台
１２    鋸刃
２０    折胴
２０ｃ  折胴中心軸線
２４    折ブレード
３０（３１，３２）    折込みローラー
３１ａ，３１ｂ，３２ａ，３２ｂ    端部
１００    エアーブロー装置
１１０    エアーパイプ
１１１    水平延在部
１１１ａ    エアー噴出孔
１３０    ペーパーガイド用ブラケット
１３１    支持ブラケット
２００    エアーブロー装置
２１０    第１のエアーパイプ
２１１    水平延在部
２１１ａ    エアー噴出孔
２２０    第２のエアーパイプ
２２１    水平延在部
２２１ａ    エアー噴出孔
２３１    第１の支持ブラケット
２３２    第２の支持ブラケット
３００    エアーブロー装置
３１０    エアーパイプ
３１１    水平延在部
３１２    ペラ側エアーノズル
３１３    袋側エアーノズル
３３１    支持ブラケット
Ｆ    折丁
Ｗ    縦折りウェブ
Ｗｏ    ウェブ
Ｗｓ    切断された縦折りウェブ
Ｗｓｃ    縦折り目側（袋側）
Ｗｓｏ    縦折り開き端側（ペラ側）
【図１】
2015151238.tif 000003
【図２】
2015151238.tif 000004
【図３】
2015151238.tif 000005
【図４】
2015151238.tif 000006
【図５】
2015151238.tif 000007
【図６】
2015151238.tif 000008
【図７】
2015151238.tif 000009
【図８】
2015151238.tif 000010
【図９】
2015151238.tif 000011
【図１０】
2015151238.tif 000012
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
折胴と鋸胴に切断され前記折胴に接触した状態のウェブが、前記折胴より突出した折ブレードによって一対の折込みローラー間に差し込まれて折丁になる折装置において、
前記ウェブは、フォーマー及びフォーミングローラーによって当該ウェブの進行方向に対して平行に縦折りされ、縦折りウェブとなった状態で、前記折胴の一方の端部側に前記縦折りウェブの縦折り開き端側が位置すると共に他方の端部側に前記縦折りウェブの縦折り目側が位置するように前記折胴と前記鋸胴の間に引き込まれるようになっており、
前記折装置は、エアーブロー装置を備え、
前記エアーブロー装置は、前記縦折りウェブの高速の送り動作の過程において、切断された縦折りウェブが折胴から離間する際に生じるバタツキを防止するように、前記折胴に接触した状態にある前記縦折りウェブであって前記鋸胴の切断位置から前記一対の折込みローラー間に差し込まれるまでの位置にある前記縦折りウェブを前記折胴に押し付けるためのエアーを前記折装置によって作成される折丁の厚さの違いや前記縦折りウェブ１枚当たりの坪量の違いの如何に関わらず予め固定された位置から前記折胴の回転中心軸線方向に向かって吹き付けるようになっていることを特徴とする折装置。
【請求項２】
前記エアーが前記ウェブに当たる位置は、前記エアーが少なくとも前記縦折りウェブの縦折り開き端側であることを特徴とする請求項１に記載の折装置。
【請求項３】
前記エアーブロー装置は、前記エアーを吹き出すための２つのエアーノズルを備え、前記エアーノズルは、前記縦折りウェブの縦折り開き端側と縦折り目端側に向かって前記折胴の回転中心軸線方向に対してそれぞれ等角度をなして互いに離間する方向に前記エアーを斜めに吹き出すようになっていることを特徴とする請求項１に記載の折装置。
【手続補正２】
【補正対象書類名】明細書
【補正対象項目名】００２０
【補正方法】変更
【補正の内容】
【００２０】
上述の課題を解決するために本発明の請求項１に係る折装置は、
折胴と鋸胴に切断され前記折胴に接触した状態のウェブが、前記折胴より突出した折ブレードによって一対の折込みローラー間に差し込まれて折丁になる折装置において、
前記ウェブは、フォーマー及びフォーミングローラーによって当該ウェブの進行方向に対して平行に縦折りされ、縦折りウェブとなった状態で、前記折胴の一方の端部側に前記縦折りウェブの縦折り開き端側が位置すると共に他方の端部側に前記縦折りウェブの縦折り目側が位置するように前記折胴と前記鋸胴の間に引き込まれるようになっており、
前記折装置は、エアーブロー装置を備え、
前記エアーブロー装置は、前記縦折りウェブの高速の送り動作の過程において、切断された縦折りウェブが折胴から離間する際に生じるバタツキを防止するように、前記折胴に接触した状態にある前記縦折りウェブであって前記鋸胴の切断位置から前記一対の折込みローラー間に差し込まれるまでの位置にある前記縦折りウェブを前記折胴に押し付けるためのエアーを前記折装置によって作成される折丁の厚さの違いや前記縦折りウェブ１枚当たりの坪量の違いの如何に関わらず予め固定された位置から前記折胴の回転中心軸線方向に向かって吹き付けるようになっていることを特徴としている。
【手続補正３】
【補正対象書類名】明細書
【補正対象項目名】００２３
【補正方法】変更
【補正の内容】
【００２３】
請求項２に係る折装置において、エアーをこのような位置に当てることで、縦折りウェブが切断された位置から折胴の外周面に接触した状態を経て、切断された縦折りウェブが折ブレードによって一対の折込みローラー間に差し込まれていく過程において、切断された縦折りウェブの縦折り開き端側のバタツキの発生を防止できる。つまり不具合品としての折丁を構成するメクレやシワ、耳折れ(端折れ)、段折れ、ラップ曲がり等の諸原因となる縦折りウェブのバタツキの発生を初期段階で効果的に抑えることができる。これによって、エアーブロー装置の構造を簡略化しつつ、本発明の十分な作用を発揮することができるようになる。
また、本発明の請求項３に係る折装置は、請求項１に記載の折装置において、
前記エアーブロー装置は、前記エアーを吹き出すための２つのエアーノズルを備え、前記エアーノズルは、前記縦折りウェブの縦折り開き端側と縦折り目端側に向かって前記折胴の回転中心軸線方向に対してそれぞれ等角度をなして互いに離間する方向に前記エアーを斜めに吹き出すようになっていることを特徴としている。
【手続補正４】
【補正対象書類名】明細書
【補正対象項目名】００５６
【補正方法】変更
【補正の内容】
【００５６】
なお、作成する折丁Ｆの厚さに応じて第１のエアーパイプ２１０のみを使用してエアーを吹き出させたり、第１及び第２のエアーパイプ２１０，２２０の双方を使用してエアーを吹き出させたりすることも可能である。
【手続補正５】
【補正対象書類名】明細書
【補正対象項目名】００６３
【補正方法】変更
【補正の内容】
【００６３】
さらに、折胴下のエアーブロー装置として、上述したようにペラ側（縦折りウェブの縦折り開き端側）のみのエアー吹き付け乃至幅方向全体へのエアー吹き付けや、ペラ側（縦折りウェブの縦折り開き端側）及び袋側（縦折りウェブの縦折り目側）に個別のエアーブローを設ける方法や、幅方向全体をエアー吹き付け可能なエアーブローのエアーパイプを１本乃至２本設けるなど、各折装置の型に適したバージョンを設け、適宜、最適なものを配置し、エアー圧はレギュレーターにて、適宜の圧で使用する。